(57)【要約】【課題】電源システムの製造コストを低減する。【解決手段】電源システムは、メイン電源装置から電力の供給を受けて動作する複数の電源装置と、複数の電源装置の起動を制御する制御装置を備える。制御装置は、起動タイミングをずらして複数の電源装置を起動し、複数の電源装置は、制御装置による起動制御に基づいて、メイン電源装置からの電力の供給を受けて動作を開始する。【選択図】図１
2018182848.tif 000002
【特許請求の範囲】
【請求項１】
メイン電源装置から電力の供給を受けて動作する複数の電源装置と、前記複数の電源装置の起動を制御する制御装置と、からなる電源システムであって、
前記制御装置は、起動タイミングをずらして前記複数の電源装置を起動し、
前記複数の電源装置は、前記制御装置による起動制御に基づいて、前記メイン電源装置からの電力の供給を受けて動作を開始する、
電源システム。
【請求項２】
前記複数の電源装置のそれぞれは、前記メイン電源装置と自電源装置とを接続状態もしくは切断状態にする起動スイッチを備え、
前記起動スイッチは、前記制御装置による起動制御に基づいて開閉する、
請求項１に記載の電源システム。
【請求項３】
前記制御装置は、前記複数の電源装置の中の第１の電源装置を起動制御した後、前記第１の電源装置の起動に要する時間の経過後に第２の電源装置を起動制御する、
請求項２に記載の電源システム。
【請求項４】
前記制御装置は、前記複数の電源装置のそれぞれの出力電圧を監視し、前記複数の電源装置の中の第１の電源装置の出力電圧が予め設定した電圧以上になった後に第２の電源装置を起動制御する、
請求項２に記載の電源システム。
【請求項５】
前記複数の電源装置のそれぞれは、負荷装置と自電源装置とを接続状態もしくは切断状態にする出力スイッチを備え、
前記出力スイッチは、前記制御装置による制御に基づいて開閉し、
前記制御装置は、前記複数の電源装置のすべてが起動した後に、前記出力スイッチを接続状態に制御する、
請求項１から４の何れか一項に記載の電源システム。
【請求項６】
メイン電源装置から電力の供給を受けて動作する複数の電源装置を備える電源システムであって、
前記複数の電源装置のそれぞれは、
前記メイン電源装置と自電源装置とを接続状態もしくは切断状態にする起動スイッチと、
自電源装置の出力電圧を監視し、前期出力電圧が予め設定した電圧以上になると起動完了信号を出力する電圧監視部と、
を備え、
前記複数の電源装置の中の第１の電源装置の電圧監視部は、第２の電源装置の起動スイッチを制御する、
電源システム。
【請求項７】
複数の電源装置を備える電源システムの起動方法であって、
前記複数の電源装置の中の第１の電源装置の出力電圧を監視する監視工程と、
前記監視工程の結果に基づいて第２の電源装置を起動する工程と、
を含む電源システムの起動方法。
【発明の詳細な説明】
【技術分野】
【０００１】
本発明の実施形態は、電源システム及び電源システムの起動方法に関する。
【背景技術】
【０００２】
１台のメイン電源装置から電力を供給して複数の電源装置を動作させる電源システムがある。このような電源システムでは、メイン電源装置から各電源装置に向かって大きな突入電流が流れる。そのため、起動時の大きな突入電流に対応するために、メイン電源装置の容量を大きくする場合がある。あるいは、メイン電源装置に過電流保護回路を備える場合がある。一方、メイン電源装置から電力供給を受ける電源装置側では、突入電流を軽減するために、突入電流防止回路を備える場合がある。
【０００３】
このように起動時の突入電流に対応するために、通常時の消費電流よりも必要以上に大きな電流を供給することが可能なメイン電源装置を備えることは、装置の製造コストを高くする要因になるので好ましくない。大きな突入電流に対応可能な保護回路を設けることも装置の製造コストを高くする要因になるので好ましくない。
【先行技術文献】
【特許文献】
【０００４】
【特許文献１】特開２０１０−５１０４３号公報
【特許文献２】特開平６−３０５２３号公報
【発明の概要】
【発明が解決しようとする課題】
【０００５】
本発明は、上述の事情の下になされたもので、電源システムの製造コストを低減することを課題とする。
【課題を解決するための手段】
【０００６】
上記課題を解決するため、本実施形態に係る電源システムは、メイン電源装置から電力の供給を受けて動作する複数の電源装置と、前記複数の電源装置の起動を制御する制御装置と、からなる電源システムであって、前記制御装置は、起動タイミングをずらして前記複数の電源装置を起動し、前記複数の電源装置は、前記制御装置による起動制御に基づいて、前記メイン電源装置からの電力の供給を受けて動作を開始する。
【図面の簡単な説明】
【０００７】
【図１】第１の実施形態に係る電源システムの構成を示す図である。
【図２】第１の実施形態に係る電源装置の構成を示す図である。
【図３】第１の実施形態に係る電源部の構成を示す図である。
【図４】第１の実施形態に係る制御装置の構成を示す図である。
【図５】第１の実施形態に係る電源システムの起動制御について説明するための図である。
【図６】第１の実施形態に係る電源システムの起動処理について説明するためのフローチャートである。
【図７】（ａ）（ｂ）は、第１の実施形態に係る電源システムの起動時の動作について説明するための図である。
【図８】（ａ）（ｂ）は、従来技術に係る電源システムの起動時の動作について説明するための図である。
【図９】第２の実施形態に係る電源システムの構成を示す図である。
【図１０】第２の実施形態に係る電源部の構成を示す図である。
【図１１】第２の実施形態に係る電圧監視回路の構成を示す図である。
【図１２】第２の実施形態に係る制御装置の構成を示す図である。
【図１３】第２の実施形態に係る電源システムの起動制御について説明するための図である。
【図１４】第２の実施形態に係る電源システムの起動処理について説明するためのフローチャートである。
【図１５】第３の実施形態に係る電源システムの構成を示す図である。
【発明を実施するための形態】
【０００８】
《第１の実施形態》
以下、本発明の第１の実施形態を、図面を参照して説明する。図１は、第１の実施形態に係る電源システム１００の構成を示す図である。電源システム１００は、負荷装置３００に電力を供給する複数の電源装置１０を備える電力供給システムである。図１に示すように、電源システム１００は、１台のメイン電源装置２００から電力の供給を受けて動作する複数の電源装置１０と、複数の電源装置１０の起動を制御する制御装置２０と、を備える。電源システム１００が数十台の電源装置１０を備える場合もあるが、ここでは電源システム１００が電源装置１０ａ，電源装置１０ｂ，電源装置１０ｃの３台の電源装置１０を備える場合について説明する。
【０００９】
制御装置２０は、起動タイミングをずらして電源装置１０ａ，電源装置１０ｂ，電源装置１０ｃを起動する。複数の電源装置１０ａ，電源装置１０ｂ，電源装置１０ｃは、制御装置２０による起動制御に基づいて、メイン電源装置２００からの電力の供給を受けて動作を開始し、負荷装置３００に電力を供給する。負荷装置３００は、例えば、空調装置、エレベータ装置、無線通信装置、航空機搭載用のレーダ装置である。
【００１０】
電源装置１０は、メイン電源装置２００から電力の供給を受けて、負荷装置３００に適した電圧に変換して電力を供給する。電源装置１０は、図２に示すように、起動スイッチ３０、出力スイッチ４０、電源部５０を備える。
【００１１】
起動スイッチ３０は、制御装置２０による制御に基づいて、メイン電源装置２００と電源部５０とを接続状態もしくは切断状態にする機能を有する。起動スイッチ３０は、例えば、ＦＥＴ（Field Effect transistor）、リレー等で構成される。
【００１２】
出力スイッチ４０は、制御装置２０による制御に基づいて、負荷装置３００と電源部５０とを接続状態もしくは切断状態にする機能を有する。出力スイッチ４０は、例えば、ＦＥＴ、リレーで構成される。
【００１３】
電源部５０は、スイッチングレギュレータ方式の電源であり、入力側の電圧を負荷装置３００に適した電圧に変換して出力する。電源部５０がＤＣ／ＤＣコンバータである場合の構成例を図３に示す。図３に示すように、電源部５０は、入力側コンデンサ５１、トランス５２、ＦＥＴ５３、制御回路５４、ダイオード５５、出力側コンデンサ５６を備える。
【００１４】
制御回路５４は、例えば、電源部５０の出力電圧を定められた所定電圧に維持するように、出力電圧をフィードバックしてＦＥＴ５３のオン・オフ時間を制御する。ＦＥＴ５３は、スイッチング素子である。トランス５２は、ＦＥＴ５３のオン時間に応じて、１次側の電力を２次側に伝達する。ダイオード５５と出力側コンデンサ５６とは、整流回路を構成する。
【００１５】
次に、制御装置２０について説明する。制御装置２０は、複数の電源装置１０の起動制御を行う。また、制御装置２０は、複数の電源装置１０から負荷装置３００への電力の供給制御を行う。図４は、制御装置２０の構成を示す図である。制御装置２０は、図４に示すように、制御信号作成部２１、制御信号出力部２２を備える。
【００１６】
制御信号作成部２１は、電源装置１０ａ，１０ｂ，１０ｃの起動スイッチ３０を制御する制御信号ＳＣを作成する。具体的には、図５に示すように、制御信号作成部２１は、電源装置１０ａの起動スイッチ３０を制御する制御信号ＳＣ１、電源装置１０ｂの起動スイッチ３０を制御する制御信号ＳＣ２、電源装置１０ｃの起動スイッチ３０を制御する制御信号ＳＣ３を作成する。図５は、ローレベルで起動スイッチ３０を切断状態とし、ハイレベルで起動スイッチ３０を接続状態とする例を示している。制御信号作成部２１は、制御信号ＳＣ１がハイレベルになってから所定時間Ｔ経過後にローレベルからハイレベルとなる制御信号ＳＣ２を作成する。また、制御信号作成部２１は、制御信号ＳＣ２がハイレベルになってから所定時間Ｔ経過後にローレベルからハイレベルとなる制御信号ＳＣ３を作成する。この所定時間Ｔは、電源装置１０の起動時間に基づいて決定する。具体的には、電源装置１０に流れ込む突入電流の波形、電源装置１０の出力電圧の立ち上がり波形を測定する。そして、突入電流もしくは出力電圧が許容する値に至るまでに要する時間にマージンを持たせた時間を所定時間Ｔとする。制御装置２０は、内蔵する発信素子から出力されるクロック信号を分周するとか遅延素子を使用することにより、所定時間Ｔを作成する。そして、所定時間Ｔづつシフトした制御信号ＳＣ１、ＳＣ２，ＳＣ３を作成する。起動タイミングをずらして電源装置１０ａ，１０ｂ，１０ｃを起動するためである。
【００１７】
また、制御信号作成部２１は、図５に示すように、電源装置１０ａの出力スイッチ４０を制御する制御信号ＳＬ１、電源装置１０ｂの出力スイッチ４０を制御する制御信号ＳＬ２、電源装置１０ｃの出力スイッチ４０を制御する制御信号ＳＬ３を作成する。制御信号作成部２１は、制御信号ＳＣ３がハイレベルになってから所定時間Ｔ経過後に、制御信号ＳＬ１，ＳＬ２，ＳＬ３をローレベルからハイレベルに変更する。すべての電源装置１０が起動してから電源システム１００と負荷装置３００とを接続するためである。
【００１８】
制御信号出力部２２は、制御信号作成部２１が作成した制御信号を電源装置１０ａ，１０ｂ，１０ｃに供給する。制御信号出力部２２は、各電源装置１０の起動スイッチ３０及び出力スイッチ４０に制御信号ＳＣ及び制御信号ＳＬを供給する出力端子を備え、電源装置１０ごとに該当する制御信号を供給する。
【００１９】
次に、上述の構成を有する電源システム１００の起動処理について、図６を参照して説明する。ユーザが、制御装置２０の操作部（図示しない）から電源システム１００の起動操作をすることにより、図６に示す起動処理は開始される。
【００２０】
制御装置２０は、起動した電源装置１０の台数をカウントするために、カウンタＫを「１」にセットする（ステップＳ１１）。そして、制御装置２０は、１台目の電源装置１０ａに供給する制御信号ＳＣ１をハイレベルにして起動スイッチ３０を接続状態とすることにより、１台目の電源装置１０ａを起動する（ステップＳ１２）。
【００２１】
制御装置２０は、所定時間Ｔの経過を待つ（ステップＳ１３）。所定時間Ｔを経過すると（ステップＳ１３：Ｙｅｓ）、制御装置２０は、すべての電源装置１０の起動を完了したかを判断する（ステップＳ１４）。ここでは、Ｋ＝３になったか否かを判断する。Ｋ＝３になっていない場合（ステップＳ１４：Ｎｏ）、制御装置２０は、Ｋ＝Ｋ＋１の処理を行う（ステップＳ１５）。制御装置２０は、電源装置１０ｂに供給している制御信号ＳＣ２をハイレベルにして、２台目の電源装置１０ｂを起動する（ステップＳ１２）。制御装置２０は、ステップＳ１２からステップＳ１５までの処理をＫ＝３になるまで繰り返す。
【００２２】
制御装置２０は、すべての電源装置１０の起動を終了すると（ステップＡ１４：Ｙｅｓ）、制御信号ＳＬ１からＳＬ３をローレベルからハイレベルに変更して電源装置１０ａ，１０ｂ，１０ｃの出力スイッチ４０を接続状態とし（ステップＳ１６）、電源システム１００は負荷装置３００に電力供給を開始する。
【００２３】
次に、起動処理時における電源システム１００に流れ込む電流の変化について図７を参照して説明する。図７（ａ）は、図１に示す電源装置１０ａ，１０ｂ，１０ｃに流れ込む入力電流ｉ１，ｉ２，ｉ３の変化を示すイメージ図である。制御装置２０が電源装置１０ａに供給している制御信号ＳＣ１をハイレベルにすると、電源装置１０ａの起動スイッチ３０は接続状態となる。それに伴いメイン電源装置２００から電源装置１０ａの電源部５０に入力電流ｉ１が流れ込む。図３に示すように、電源部５０の入力部には入力側コンデンサ５１があるので、起動スイッチ３０を接続状態にした瞬間に突入電流が入力側コンデンサ５１に流れ込む。この突入電流のピーク値をｉｐとする。入力側コンデンサ５１がチャージされると、入力電流ｉ１は通常運転時の電流値に収まる。このピーク電流値ｉｐは、通常運転時の電流値の数倍から数十倍になることもある。
【００２４】
入力電流が所定の電流値に収まるまでの時間にマージンを持たせた時間である所定時間Ｔの経過を待って、制御装置２０は、電源装置１０ｂを起動する。電源装置１０ｂの入力電流ｉ２も図に示すように突入電流のピーク値ｉｐを伴って変化する。電源装置１０ａの入力電流が最大となってから所定時間Ｔ経過後に、電源装置１０ｂの入力電流は最大となる。電源装置１０ｃの入力電流ｉ３も同様に変化する。
【００２５】
図１に示すようにメイン電源装置２００の出力電流Ｉは、各電源装置１０に流れ込む入力電流ｉ１，ｉ２，ｉ３の合計である。したがって、メイン電源装置２００の出力電流Ｉは、図７（ｂ）に示すように変化する。つまり、メイン電源装置２００の出力電流Ｉのピーク電流値Ｉｐは、各電源装置１０への突入電流のピーク電流値ｉｐの３倍よりも小さい値となる。各電源装置１０への突入電流が流れる期間が重複しないからである。
【００２６】
参考までに、複数の電源装置の起動タイミングを制御しない従来技術の場合、起動処理時における電源システムに流れ込む電流は、図８に示すような変化をする。つまり、各電源装置への突入電流が流れる期間が重複するので、メイン電源装置２００の出力電流Ｉのピーク電流値Ｉｐは、各電源装置への突入電流のピーク電流値ｉｐの３倍となる。並列運転する電源装置の台数が増加するほどピーク電流値Ｉｐは大きな値となる。従来の電源システムでは、この大きな突入電流に対応するために、メイン電源装置２００の定格出力電流に大きな余裕を持たせている。あるいは、メイン電源装置２００を保護するために、メイン電源装置２００に過電流保護回路を備えている場合がある。一方、メイン電源装置２００から電力供給を受ける電源装置側には、突入電流を軽減するために、突入電流防止回路を備える場合がある。
【００２７】
また、メイン電源装置２００から各電源装置に電力を供給する電源配線は、リーケージインダクタンスＬを含んでいる。リーケージインダクタンスＬは、メイン電源装置２００から各電源装置までの電源配線が長いほど大きくなる。電源配線のリーケージインダクタンスＬが大きい場合、もしくは突入電流の変化が大きい場合、電源投入時に大きな逆起電圧Ｖ（Ｖ＝−Ｌ＊ｄＩ／ｄｔ）が発生する。図７（b）に示すメイン電源装置２００の出力電流Ｉの変化（ｄＩ／ｄｔ）と、図８（ｂ）に示す出力電流Ｉの変化（ｄＩ／ｄｔ）とを比較すると、図８（ｂ）に示す出力電流Ｉの変化（ｄＩ／ｄｔ）のほうが大きく、発生する逆起電力Ｖも大きくなる。この逆起電圧Ｖが大きくなりすぎると、電源装置側のデバイスを破損する恐れが高くなる。その対策のために、逆起電圧Ｖをクリップする保護回路を設けている電源装置もある。
【００２８】
電源システム起動時の突入電流が通常時の消費電流に対して必要以上に大きくなると、メイン電源装置２００の定格出力電流を大きくする必要が生じたり、過電流保護回路、突入電流保護回路、逆起電圧に対する保護回路を設ける必要が生じたりして、装置価格が高くなり経済的に好ましくない。
【００２９】
以上説明したように、本実施形態に係る電源システム１００は、メイン電源装置２００から電力の供給を受けて動作する複数の電源装置１０と、複数の電源装置１０の起動を制御する制御装置２０と、を備える。そして、制御装置２０は、起動タイミングをずらして電源装置１０ａ，１０ｂ，１０ｃそれぞれの起動スイッチ３０を順次接続状態に制御する。これにより、電源装置１０ａ，１０ｂ，１０ｃの突入電流ｉｐが発生するタイミングをずらすことができ、電源システム起動時のメイン電源装置２００の突入電流Ｉｐを低減することができる。そのため、電源システム１００は、通常時の消費電流に対して必要以上に大きな電流を供給することが可能なメイン電源装置２００を備える必要がない。また、電源システム１００は、電源装置１０側に設ける突入電流防止回路や逆起電圧に対する保護回路に使用するデバイスの定格値を下げることができる。もしくは、保護回路を省略することができる。したがって、電源システム１００を小型化することができ、電源システム１００の製造コストを低減することができる。上記の説明では、電源装置１０を３台並列運転する場合について説明したが、並列運転する電源装置１０の台数が多くなるほどこの効果は大きくなる。
【００３０】
また、本実施形態に係る電源システム１００では、複数の電源装置１０は、負荷装置３００と電源部５０の出力とを接続状態もしくは切断状態にする出力スイッチ４０を備える。そして、制御装置２０は、電源装置１０ａ，１０ｂ，１０ｃのすべてが起動してから同時に電源装置１０ａ，１０ｂ，１０ｃの出力スイッチ４０を接続状態に制御する。これにより、電源システム１００は、起動時に負荷装置３００に大きな電力を供給することができる。
【００３１】
なお、上記の説明では、図１に示したように、複数の電源装置１０ａ，１０ｂ，１０ｃで１台の負荷装置３００を駆動する場合について説明したが、電源装置１０と負荷装置３００との接続関係はこれに限定する必要はない。例えば、電源装置１０ａ，１０ｂ，１０ｃそれぞれに個別の負荷装置３００ａ，３００ｂ，３００ｃが接続されていてもよい。この場合、出力スイッチ４０を省略することもできる。各負荷装置３００を同時に起動する必要がないからである。
【００３２】
また、起動スイッチ３０は、切り替えスイッチとしても使用できる。例えば、電源装置１０ａに負荷装置３００ａ，電源装置１０ｂに負荷装置３００ｂ，電源装置１０ｃに負荷装置３００ｃが接続されており、負荷装置３００ａ，３００ｂ，３００ｃを切り替えて使用する場合がある。この場合、使用していない負荷装置３００に対応する電源装置１０の起動スイッチ３０を切断状態にすることにより、待機電力を節約することができる。
【００３３】
《第２の実施形態》
次に、第２の実施形態を図面に基づいて説明する。第１の実施形態と同一又は同等の構成については、同等の符号を用いるとともに、その説明を省略又は簡略する。図９は、第２の実施形態に係る電源システム１００ｂの構成を示す図である。本実施形態に係る電源システム１００ｂでは、制御装置２０ｂは、電源システム１００ｂを構成する複数の電源装置１０の中の第１の電源装置１０ａの出力電圧が予め設定した電圧以上になった後に第２の電源装置１０ｂを起動制御する点で、第１の実施形態に係る電源システム１００の起動処理と相違する。
【００３４】
第２の実施形態に係る電源システム１００ｂの電源部５０ｂは、図１０に示すように、その出力部に電圧監視回路５７を備える。電圧監視回路５７の構成例を図１１に示す。図１１に示す例では、電圧監視回路５７は、電源部５０ｂの出力電圧を抵抗分割した電圧をコンパレータで基準電圧と比較することにより、電源部５０ｂの出力電圧が所定の電圧以上に立ち上がったか否かを監視する。基準電圧には、ツェナーダイオードを用いることができる。電圧監視回路５７は、電源部５０ｂの出力電圧が所定の電圧になると、出力信号ＭＯＮをローレベルからハイレベルに変更する。
【００３５】
第２の実施形態に係る電源システム１００ｂの制御装置２０ｂの構成を図１２に示す。制御装置２０ｂは、制御信号作成部２１ｂ、制御信号出力部２２、状態情報取得部２３を備える。状態情報取得部２３は、電源装置１０ａ，１０ｂ，１０ｃの電圧監視回路５７から各電源装置１０の起動情報（ＭＯＮ１からＭＯＮ３）を取得し、制御信号作成部２１ｂに供給する。
【００３６】
制御信号作成部２１ｂは、図１３に示すように、電源装置１０ａの電圧監視回路５７の出力信号ＭＯＮ１がハイレベルになったことをトリガとして、電源装置１０ｂの起動スイッチ３０を起動する制御信号ＳＣ２をローレベルからハイレベルに変更する。また、制御信号作成部２１ｂは、電源装置１０ｂの電圧監視回路５７の出力信号ＭＯＮ２がハイレベルになったことをトリガとして、電源装置１０ｃの起動スイッチ３０を起動する制御信号ＳＣ３をローレベルからハイレベルに変更する。また、制御信号作成部２１ｂは、電源装置１０ｃの電圧監視回路５７の出力信号ＭＯＮ３がハイレベルになったことをトリガとして、電源装置１０a、１０ｂ、１０ｃの出力スイッチ４０を制御する制御信号ＳＬ１，ＳＬ２，ＳＬ３をローレベルからハイレベルに変更する  。
【００３７】
制御信号出力部２２については、第１の実施形態における説明と同じである。
【００３８】
次に、上述の構成を有する第２の実施形態に係る電源システム１００ｂの起動処理について、図１４を参照して説明する。ユーザが、制御装置２０ｂの操作部（図示しない）から電源システム１００ｂの起動操作をすることにより、図１４に示す起動処理は開始される。
【００３９】
制御装置２０ｂは、起動した電源装置１０の台数をカウントするために、カウンタＫを「１」にセットする（ステップＳ３１）。そして、制御装置２０ｂは、電源装置１０ａに供給する制御信号ＳＣ１をローレベルからハイレベルに変更して、１台目の電源装置１０ａを起動する（ステップＳ３２）。
【００４０】
制御装置２０ｂは、１台目の電源装置１０ａが起動を完了するまで待機する（ステップＳ３３）。具体的には、制御装置２０ｂは、１台目の電源装置１０ａの電圧監視回路５７の出力信号ＭＯＮ１がハイレベルになっているかを監視する。そして、出力信号ＭＯＮ１がハイレベルになったことをもって、電源装置１０ａが起動を完了したと判断する。１台目の電源装置１０ａが起動すると（ステップＳ３３：Ｙｅｓ）、制御装置２０ｂは、すべての電源装置１０の起動を完了したかを判断する（ステップＳ３４）。ここでは、Ｋ＝３になったか否かを判断する。Ｋ＝３になっていない場合（ステップＳ３４：Ｎｏ）、制御装置２０ｂは、Ｋ＝Ｋ＋１の処理を行う（ステップＳ３５）。そして、制御装置２０ｂは、電源装置１０ｂに供給する制御信号ＳＣ２をローレベルからハイレベルに変更して、２台目の電源装置１０ｂを起動する（ステップＳ３２）。制御装置２０ｂは、ステップＳ３２からステップＳ３５までの処理をＫ＝３になるまで繰り返す。
【００４１】
制御装置２０ｂは、すべての電源装置１０ａ，１０ｂ，１０ｃの起動を確認すると（ステップＳ３４：Ｙｅｓ）、電源装置１０ａ，１０ｂ，１０ｃに供給している制御信号ＳＬ１からＳＬ３をローレベルからハイレベルに変更して、電源装置１０ａ，１０ｂ，１０ｃの出力スイッチ４０を接続状態とし（ステップＳ３６）、電源システム１００ｂの出力を負荷装置３００に接続する。これにより、電源システム１００から負荷装置３００への電力供給が開始される。
【００４２】
以上説明したように、第２の実施形態に係る電源システム１００ｂでは、制御装置２０ｂは、複数の電源装置１０ａ，１０ｂ，１０ｃそれぞれの出力電圧を監視し、複数の電源装置１０ａ，１０ｂ，１０ｃの中の第１の電源装置１０ａの出力電圧が予め設定した電圧以上になった後に第２の電源装置１０ｂを起動制御する。制御装置２０ｂは、電源装置１０ａが起動完了した通知を受けると、２台目の電源装置１０ｂの起動スイッチ３０を接続状態に制御する。以下同様にして電源装置１０ｃを順次起動する。これにより、電源システム１００は、予め各電源装置１０の起動時間を測定しなくても各電源装置１０の起動タイミングをずらすことができ、起動時の突入電流を低減することができる。そのため、電源システム１００ｂは、通常時の消費電流に対して必要以上に大きな電流を供給することが可能なメイン電源装置２００を備える必要がない。また、電源システム１００ｂは、電源装置１０側に設ける突入電流防止回路や逆起電圧に対する保護回路に使用するデバイスの定格値を下げることができる。もしくは、保護回路を省略することができる。したがって、電源システム１００ｂを小型化することができ、電源システム１００ｂの製造コストを低減することができる。
【００４３】
なお、第２の実施形態においても電源装置１０ａ，１０ｂ，１０ｃそれぞれに個別の負荷装置３００を接続するようにしてもよい。この場合、負荷装置３００の負荷変動によって各電源装置１０の起動時間は大きく変動する場合がある。第２の実施形態に係る電源システム１００ｂは、このように電源装置１０の起動時間が変動しても、所定時間Ｔを調整する必要はない。また、過大な所定時間Ｔを設定して、電源システム１００の起動時間を必要以上に長くすることもない。
【００４４】
《第３の実施形態》
次に、第３の実施形態を図面に基づいて説明する。前述の実施形態と同一又は同等の構成については、同等の符号を用いるとともに、その説明を省略又は簡略する。図１５は、第３の実施形態に係る電源システム１００ｃの構成を示す図である。本実施形態に係る電源システム１００ｃは、制御装置２０を備えていない点で前述した実施形態と相違する。
【００４５】
第３の実施形態に係る電源システム１００ｃは、制御装置２０ｂを用いないで電源装置１０ａ，１０ｂ，１０ｃの起動タイミングをずらす起動処理を実施する。具体的には、電源装置１０ａの電圧監視回路５７の出力信号ＭＯＮ１を電源装置１０ｂの起動スイッチ３０の制御端子に接続する。また、電源装置１０ｂの電圧監視回路５７の出力信号ＭＯＮ２を電源装置１０ｃの起動スイッチ３０の制御端子に接続する。また、電源装置１０ｃの電圧監視回路５７の出力信号ＭＯＮ３を、電源装置１０a、１０ｂ、１０ｃの出力スイッチ４０の制御端子に接続する。
【００４６】
次に、上述の構成を有する第３の実施形態に係る電源システム１００ｃの起動処理について説明する。ユーザが、電源装置１０ａの起動スイッチ３０を接続状態にすることにより、電源装置１０ａは起動を開始する。起動を開始すると電源装置１０ａの出力電圧が次第に上昇していく。出力電圧が予め設定した閾値電圧以上になると、電源装置１０ａの電圧監視回路５７は出力信号ＭＯＮ１をローレベルからハイレベルに変更する。出力信号ＭＯＮ１がハイレベルになると、電源装置１０ｂの起動スイッチ３０は接続状態に制御され、電源装置１０ｂは起動を開始する。電源装置１０ｂの出力電圧が予め設定した閾値電圧以上になると、電源装置１０ｂの電圧監視回路５７は出力信号ＭＯＮ２をローレベルからハイレベルに変更する。出力信号ＭＯＮ２がハイレベルになると、電源装置１０ｃの起動スイッチ３０は接続状態に制御され、電源装置１０ｃは起動を開始する。電源装置１０ｃの出力電圧が予め設定した閾値電圧以上になると、電源装置１０ｃの電圧監視回路５７は、出力信号ＭＯＮ３をローレベルからハイレベルに変更する。出力信号ＭＯＮ３がハイレベルになると、電源装置１０ａ，１０ｂ，１０ｃの出力スイッチ４０は接続状態に制御され、電源装置１０ａ，１０ｂ，１０ｃから負荷装置３００への電力供給が開始される。
【００４７】
以上説明したように、第３の実施形態に係る電源システム１００ｃでは、複数の電源装置１０ａ，１０ｂ，１０ｃの中の第１の電源装置１０ａの電圧監視回路５７の出力は、第２の電源装置１０ｂの起動スイッチ３０を制御し、第２の電源装置１０ｂの電圧監視回路５７の出力は、第３の電源装置１０ｃの起動スイッチ３０を制御する構成になっている。これにより、電源システム１００ｃは、制御装置２０を備えなくても、複数の電源装置１０ａ，１０ｂ，１０ｃの起動タイミングをずらすことができ、起動時の突入電流を低減することができる。そのため、電源システム１００ｃは、通常時の消費電流に対して必要以上に大きな電流を供給することが可能なメイン電源装置２００を備える必要がない。また、電源システム１００ｃは、電源装置１０側に設ける突入電流防止回路や逆起電圧に対する保護回路に使用するデバイスの定格値を下げることができる。もしくは、保護回路を省略することができる。したがって、電源システム１００ｃを小型化することができ、電源システム１００ｃの製造コストを低減することができる。
【００４８】
なお、上記の説明では、電源装置１０ａ，１０ｂ，１０ｃの起動タイミングを１台づつシフトして起動する説明をした。しかし、電源装置を複数台のグループに分け、複数台のグループごとに起動するようにしてもよい。
【００４９】
また、上記の説明では、電源部５０を定電圧電源として説明したが、電源部５０は定電流電源でもよい。また、上記の説明では、図３を使用して、電源部５０がＤＣ／ＤＣコンバータである場合について説明したが、電源部５０は、ＡＣ／ＤＣコンバータ、ＡＣ／ＡＣコンバータ、ＤＣ／ＡＣコンバータであってもよい。
【００５０】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことが出来る。これらの実施形態やその変形は、発明の範囲や要旨に含まれるとともに、特許請求の範囲に記載された発明とその均等の範囲に含まれる。
【符号の説明】
【００５１】
１０，１０ａ，１０ｂ，１０ｃ…電源装置
２０，２０ｂ…制御装置
２１，２１ｂ…制御信号作成部
２２…制御信号出力部
２３…状態情報取得部
３０…起動スイッチ
４０…出力スイッチ
５０，５０ｂ…電源部
５１…入力側コンデンサ
５２…トランス
５３…ＦＥＴ
５４…制御回路
５５…ダイオード
５６…出力側コンデンサ
５７…電圧監視回路
１００，１００ｂ，１００ｃ…電源システム
２００…メイン電源装置
３００…負荷装置 
【図１】
2018182848.tif 000003
【図２】
2018182848.tif 000004
【図３】
2018182848.tif 000005
【図４】
2018182848.tif 000006
【図５】
2018182848.tif 000007
【図６】
2018182848.tif 000008
【図７】
2018182848.tif 000009
【図８】
2018182848.tif 000010
【図９】
2018182848.tif 000011
【図１０】
2018182848.tif 000012
【図１１】
2018182848.tif 000013
【図１２】
2018182848.tif 000014
【図１３】
2018182848.tif 000015
【図１４】
2018182848.tif 000016
【図１５】
2018182848.tif 000017